【手続補正書】
【提出日】平成18年9月11日(2006.9.11)
【手続補正１】
【補正対象書類名】明細書
【補正対象項目名】特許請求の範囲
【補正方法】変更
【補正の内容】
【特許請求の範囲】
【請求項１】  情報を一定時間長のスロットに収容して送信する移動通信システムで使用される受信装置内の同期保護装置であって、
前記移動通信システムに使用される送信装置には
１スロットで情報の送信が完了する第１のバースト信号と、複数スロットで情報の送信が完了する連続信号とを、受信側で区別可能な信号属性通知手段を含み、
前記同期保護装置には受信信号が前記第１のバースト信号であるか前記連続信号であるかを識別する信号識別手段を持ち、
前記第１のバースト信号を受信したと認識した場合には、同期保護を行わず、
前記連続信号を受信したと認識した場合には、同期保護を行う、
ことを特徴とする、同期保護装置。
【請求項２】  請求項１に記載の同期保護装置であって、
前記移動通信システムには、スロット内の一定位置に一定のビットパターンを配置することで、スロットの同期位置を判定するための同期ビットを予め規定し、さらに、前記同期ビットは、
前記第１のバースト信号に付加される第１の同期ビットと、
前記連続信号に付加される第２の同期ビットと、に区別され、
前記信号識別手段は、第１の同期ビットを検出することで、受信信号が前記第１のバースト信号であることを識別し、
第２の同期ビットを検出することで、受信信号が前記連続信号であることを識別する、ことを特徴とする、同期保護装置。
【請求項３】  請求項１に記載の同期保護装置であって、
前記信号識別手段は、
スロット内の一定位置に一定の符号化パターンで配置される情報ビットを検出することで前記第１のバースト信号と前記連続信号とを識別することを特徴とする、同期保護装置。
【請求項４】  請求項１〜３に記載の同期保護装置であって、
前記移動通信システムにおいて、一連のｋ個（ｋは３以上の整数）のスロットをフレームとして規定し、
前記連続波の伝送情報中に、フレーム内におけるスロットの位置を示すスロット番号を含み、前記連続波の送出が許可されるスロット番号が１フレーム内でｎ個（ｎはｋの１／２を超える整数）規定され、
連続波を受信したと認識した場合には、スロット番号を検出し、連続波の送信が許可されたスロット番号のタイミングにおいて同期保護を行うことを特徴とする、同期保護装置。
【請求項５】  全ての情報を一定時間長のスロットに収容して送信する移動通信システムで使用される受信装置内の同期保護装置であって、
前記移動通信システムにおいて、一連のｋ個（ｋは３以上の整数）のスロットをフレームとして規定し、
１スロットで情報の送信が完了する第１のバースト信号の送信を許可する、
ｍ個（ｍは１以上の整数）の第１のバーストスロットと、
複数スロットで情報の送信が完了する連続信号の送信を許可する、
ｎ個（ｎはｍ＋１以上の整数、ｎ＋ｍ＝ｋ）の連続スロットとを区別して規定し、
前記移動通信システムには、第１のバーストスロットと連続スロットの送信タイミングを規定するタイミング規定手段を含み、
前記第１のバースト信号が送信されるスロットを受信するタイミングでは同期保護を行わず、前記連続信号を送信されるスロットを受信するタイミングでは同期保護を行う、ことを特徴とする、同期保護装置。
【請求項６】  請求項１〜５に記載の同期保護装置において、前記第１のバースト信号に替えて、同一フレーム内の２スロット以上の所定スロット数で構成される第２のバースト信号が規定され、
第２のバースト波が送信される所定スロット数の間、前記連続波の同期保護とは独立した同期保護を行うことを特徴とする、同期保護装置。
【請求項７】  請求項１〜５に記載の同期保護装置において、前記第１のバースト信号に替えて、異なるフレームにおける同一のスロット番号の２スロット以上の所定スロット数で構成される第３のバースト信号が規定され、
第３のバースト波が送信される当該スロットにおいては、所定スロット数の間、前記連続波の同期保護とは独立した同期保護を行うことを特徴とする、同期保護装置。
【請求項８】  請求項１〜７に記載の同期保護装置であって、
前記第１のバースト波、前記第２のバースト波、前記第３のバースト波のうち２種以上が混在し、それぞれ独立に同期保護を行うことを特徴とする、同期保護装置。
【請求項９】  請求項１〜８に記載の同期保護装置であって、
前記第１のバースト波、前記第２のバースト波、前記第３のバースト波のうち少なくとも１種のスロット長を前記連続波用のスロット長より短く規定した移動通信システムで使用される受信装置内の同期保護装置。
【請求項１０】  情報を一定時間長のスロットに収容して送信する移動通信システムで使用される同期保護装置を備えた受信装置であって、
前記移動通信システムに使用される送信装置には、
前記同期保護装置には受信信号が前記第１のバースト信号であるか前記連続信号であるかを識別する信号識別手段を持ち、
前記第１のバースト信号を受信したと認識した場合には、同期保護を行わず、
前記連続信号を受信したと認識した場合には、同期保護を行う、
ことを特徴とする、受信装置。
【請求項１１】  請求項２，４，６〜９、１０に記載の同期保護装置を含む受信装置であって、
前記信号識別手段には、
前記第１の同期ビットを識別するための第１の受信誤り許容ビット数を保持する、第１の許容ビット数保持手段と、
前記第２の同期ビットを識別するための第２の受信誤り許容ビット数であって、前記第１の受信誤り許容ビット数より少ないビット数を保持する、第２の許容ビット数保持手段とを持つことを特徴とする、受信装置。
【請求項１２】  請求項２，４，６〜９、１０に記載の同期保護装置を含む受信装置であって、
前記信号識別手段は、
受信信号と前記第１の同期ビットまたは前記第２の同期ビットとより演算される比較演算値に基づいて、前記第１の同期ビットまたは前記第２の同期ビットを検出することを特徴とし、
前記第１の同期ビットを識別するための第１の比較演算値の閾値を保持する、第１の閾値保持手段と、
前記第２の同期ビットを識別するための第２の比較演算値の閾値であって、前記第１の閾値より受信誤りが小さい方向の閾値を保持する、第２の閾値保持手段と、を持つことを特徴とする、受信装置。
【請求項１３】  請求項１〜１０に記載の同期保護装置を含む受信装置であって、
受信信号を復調すべきタイミングを調整する、タイミング調整手段を持ち、
受信信号が前記連続信号であると認識した場合には、タイミング調整手段を用いて復調すべきタイミングを調整し、
受信信号が前記第１のバースト波、前記第２のバースト波、前記第３のバースト波のうちいずれかである場合は、タイミング調整手段を用いずに復調すべきタイミングを認識することを特徴とする、受信装置。
【請求項１４】  請求項１〜１３に記載の受信装置であって、前記連続波の伝送が終了したことを検出する最終信号検出手段を持ち、
最終信号検出手段で前記連続波の伝送が終了したと認識した場合には同期保護を解除することを特徴とする受信装置。
【請求項１５】  請求項１〜１３に記載の受信装置であって、前記連続波が音声であるか音声以外であるかを識別する音声信号検出手段と、
前記連続波の伝送が終了したことを検出する最終信号検出手段とを持ち、
音声信号受信中に、最終信号検出手段で前記連続波の伝送が終了したと認識した場合には音声信号を外部へ出力することを停止することを特徴とする受信装置。